(57)【特許請求の範囲】
【請求項１】
内部に中詰材を充填して封入する角形リング状の土木工事用袋体であって、
中心部に上下を貫通した中央穴を有し、角形リング状の収容空間を有し、該収容空間に中詰材を封入する方形袋と、
前記方形袋を介して中詰材の全周に亘って抱持し得るように、基端を前記方形袋の一部に固着し、前記中央穴を通じて方形袋に縦向きに巻装可能な長さを有する複数の抱持バンドとを具備することを特徴とする、
土木工事用袋体。
【請求項２】
前記方形袋が中央穴を有する矩形の底面と、底面の内縁を囲繞する内側面と、底面の外縁を囲繞する外側面と、これらの三面で画成した角型リング状の収容空間の上口を閉じる上蓋とを具備することを特徴とする、請求項１に記載の土木工事用袋体。
【請求項３】
前記抱持バンドの基端を方形袋の内側面に固定し、該抱持バンドの先端側を方形袋の上方へ延出したことを特徴とする、請求項２に記載の土木工事用袋体。
【請求項４】
前記抱持バンドがベルト状物であり、その先端に吊上用のループを形成したことを特徴とする、請求項１乃至３の何れか一項に記載の土木工事用袋体。
【請求項５】
前記方形袋の外面に抱持バンド用の位置決め材を付設したことを特徴とする、請求項１乃至３の何れか一項に記載の土木工事用袋体。
【請求項６】
中詰材を充填した土木工事用構造体であって、
前記請求項１乃至５の何れか一項に記載の土木工事用袋体と、
方形袋の角型リング状の収容空間に封入した中詰材とを具備し、
収容空間に封入した中詰材の内外全周を被覆して拘束する方形袋と、中央穴を通して方形袋に巻装して締め付ける複数の抱持バンドとにより、中詰材を全周に亘って抱持することで角形硬質塊を形成したことを特徴とする、
土木工事用構造体。
【発明の詳細な説明】
【技術分野】
【０００１】
本発明は海洋又は陸上における各種土木工事に使用可能な土木工事用袋体及び土木工事用構造体に関し、特に中詰材の変位を拘束しつつ直方体の形状を維持できる、土木工事用袋体及び土木工事用構造体に関する。
【背景技術】
【０００２】
巾着状の袋体に中詰材を充填した土木工事用構造体は広く知られている（特許文献１，２）。
又、特許文献３には袋体の底部から口部を通って中繋材を引き出し、底網と上網との間を中繋材で連結した土木工事用構造体が開示されている。
又、特許文献４には可撓性を有する直方体バックに中詰材を封入した直方体を呈する土木工事用構造体が開示されている。
図８を参照して説明すると、直方体バック８０は底面８１の中心と底面８１の四隅に一端を接続した合計５本の吊りベルト８２を有していて、これら全ての吊りベルト８２を直方体バック８０の中心部でひとまとめにして吊り上げ可能にバック外へ引き出している。
【先行技術文献】
【特許文献】
【０００３】
【特許文献１】実開平１−１４１８１５号公報
【特許文献２】特開平１１−１３１４４７号公報
【特許文献３】特開２００３−１２９４４４号公報
【特許文献４】特許第３９４９１５６号公報
【発明の概要】
【発明が解決しようとする課題】
【０００４】
上述した土木工事用構造体には次のような問題点がある。
＜１＞特許文献１，２に記載された従来の土木工事用構造体は、巾着状の袋体の口を紐等で縛って中詰材を移動可能に封入しただけの構造である。
そのため、外力によって中詰材が繰り返し動くことで袋体が早期に摩耗して破損する。
＜２＞特許文献３に開示の土木工事用構造体は、不陸に対する追従性を確保するために、ある程度の動きを許容する状態で中詰材を封入していた。
そのため、大きな波力等が作用すると袋体の内部で中詰材が動いてしまい、依然として袋体が破損する問題を抱えている。
＜３＞特許文献３の土木工事用構造体は、中繋材の締付力が袋体全体に均等に伝わらない。
そのため、袋体による中詰材の拘束力は、中繋材から離れるほど弱くなって、中詰材の拘束効果にバラツキを生じる。
＜４＞特許文献４の土木工事用構造体は、直方体バック８０の底面８１の剛性が低いために中詰材８３の拘束を十分に得られず、吊り上げると中詰材８３の自重で底面８１の中心部を中心に周縁部が垂れ下がってしまい、二点鎖線で示した吊り上げ前の直方体の形状を維持することができない。
殊に直方体バック８０が横長になるほど土木工事用構造体が変形し易い。
【０００５】
本発明は以上の点に鑑みて成されたもので、その目的とするところは、次の少なくともひとつの土木工事用袋体及び土木工事用構造体を提供することにある。
＜１＞中詰材の全体を抱持しつつ直方体の形状を維持できること。
＜２＞土木工事用袋体の破損防止効果が向上すること。
＜３＞土木工事用構造体の製作が容易であること。
【課題を解決するための手段】
【０００６】
本発明は、内部に中詰材を充填して封入する角形リング状の土木工事用袋体であって、中心部に上下を貫通した中央穴を有し、角形リング状の収容空間を有し、該収容空間に中詰材を封入する方形袋と、前記方形袋を介して中詰材の全周に亘って抱持し得るように、基端を前記方形袋の一部に固着し、前記中央穴を通じて方形袋に縦向きに巻装可能な長さを有する複数の抱持バンドとを具備することを特徴とする。
本発明の他の形態において、前記方形袋が中央穴を有する矩形の底面と、底面の内縁を囲繞する内側面と、底面の外縁を囲繞する外側面と、これらの三面で画成した角型リング状の収容空間の上口を閉じる上蓋とを具備する。
本発明の他の形態において、前記抱持バンドの基端を方形袋の内側面に固定し、該抱持バンドの先端側を方形袋の上方へ延出している。
本発明の他の形態において、前記抱持バンドがベルト状物であり、その先端に吊上用のループを形成してある。
本発明の他の形態において、前記方形袋の外面に抱持バンド用の位置決め材を付設してもよい。
本発明は、中詰材を充填した土木工事用構造体であって、前記した土木工事用袋体と、方形袋の角型リング状の収容空間に封入した中詰材とを具備し、収容空間に封入した中詰材の内外全周を被覆して拘束する方形袋と、中央穴を通して方形袋に巻装して締め付ける複数の抱持バンドとにより、中詰材を全周に亘って抱持することで角形硬質塊を形成したことを特徴とする。
【発明の効果】
【０００７】
本発明は次の効果の少なくともひとつを備える。
＜１＞中詰材の内外全周を被覆して拘束する方形袋と、中央穴を通して方形袋に巻装して締め付ける複数の抱持バンドとを具備する土木工事用袋体を使用することで、中詰材の全体を抱持しつつ、直方体を呈する土木工事用構造体を製作することができる。
＜２＞方形袋と複数の抱持バンドが協働して中詰材の全体を拘束することで、中詰材を変形不能な角形硬質塊に形成することができる。
したがって、土木工事用構造体の全長に亘って、曲げ強度、圧縮強度、及びせん断強度が非常に高くなる。
＜３＞方形袋に封入した中詰材の移動を拘束できるので、土木工事用袋体の破損防止効果が向上する。
＜４＞方形袋の一部に固定した抱持バンドを方形袋に巻き掛けして吊り上げるだけの簡単な作業で以て変形不能な土木工事用構造体を製作することができる。
【図面の簡単な説明】
【０００８】
【図１】一部を省略した土木工事用袋体の斜視図
【図２】一部を破断した土木工事用袋体の底面中心部を下方から見上げた斜視図
【図３】上蓋の形態が異なる土木工事用袋体の説明図
【図４】一部を破断した土木工事用構造体の斜視図
【図５】抱持バンドの締付け前における土木工事用構造体の斜視図
【図６】吊り上げ時における土木工事用構造体の断面図
【図７】他の実施例の説明図で、抱持バンドの一部を省略した土木工事用構造体の平面図
【図８】本発明が前提とする土木工事用袋体の断面モデル図
【発明を実施するための形態】
【０００９】
以下に図面を参照しながら本発明の実施例について説明する。
【００１０】
＜１＞土木工事用袋体（図１）
土木工事用袋体１０は、中央穴２１を有する方形袋２０と、方形袋２０の中央穴２１に面する内側面２２に一端を固着した複数の抱持バンド４０とを具備する。
【００１１】
＜２＞土木工事用構造体（図３，４）
土木工事用構造体Ａは土木工事用袋体１０と、方形袋２０の収容空間２６内に収容する中詰材４０とを具備する。
【００１２】
＜３＞方形袋（図１，２）
方形袋２０は、中央に角形の中央穴２１を有する矩形の底面２３と、底面２３の内縁を囲繞する内側面２２と、底面２３の外縁を囲繞する外側面２４と、外側面２４の各側面上縁から延びる４つの上蓋２５とを具備し、その内部に角型リング状の収容空間２６を形成している。
内側面２２の高さは外側面２４の高さと等しい。
外側面２４の各外側面には抱持バンド４０を挿通して横移動を規制する単数又は複数の位置決め材２８を有している。
本例では内側面２４で囲繞された中央穴２１内に柱状の硬質キーパ２７を収容した形態を示すが、硬質キーパ２７は方形袋２０内に中詰材４０を投入するときに中央穴２１を確保するための型材に過ぎないから、必須ではなく省略してもよい。
【００１３】
＜３．１＞方形袋の平面形状
本例では方形袋２０の平面形状が正方形である場合について示すが、長方形であってもよい。
【００１４】
＜３．２＞方形袋の寸法
本例では方形袋２０の高さが方形袋２０の一辺の長さより小さい寸法関係にある場合を示すが、方形袋２０の高さは方形袋２０の一辺の長さと同じかそれ以上であってもよい。方形袋２０の縦横高さの各寸法は土木工事用構造体Ａの使途や中詰材４０の種類に応じて適宜選択する。
内側面２４の各側面の一辺の長さは、土木工事用構造体Ａの使途に応じて適宜選択する。
【００１５】
＜３．３＞方形袋の素材
方形袋２０は可撓性及び耐久性に優れた合成繊維製の網体、シート状物、又はこれらの組み合せでもよい。透水性又は非透水性（遮水性）の素材、或いは伸縮性又は非伸縮性の素材でもよい。
方形袋２０の素材は土木工事用構造体Ａの使途や中詰材４０の種類に応じて適宜選択する。
【００１６】
＜３．４＞上蓋
上蓋２５は収容空間２６の上口を閉鎖できればよいから、図３の（ａ）に示すように中央に窓穴２５ａを有する一枚の上蓋２５や、図３の（ｂ）に示すように対向辺の中央に切欠２５ｂを形成した二枚の枚の上蓋２５であってもよい。
【００１７】
＜４＞抱持バンド
抱持バンド４０は中央穴２１を介して土木工事用構造体Ａの全周を縦方向に巻装して抱持可能な部材であって、方形袋２０の上蓋２５のロック機能、方形袋２０を介した中詰材４０の抱持機能、及び土木工事用構造体Ａの吊り機能を有する。
各抱持バンド４０の基端は方形袋２０の内側面２２の各側面に縫合、融着、又は接着等により一体に固着されている。
各抱持バンド４０の先端部には吊上用のループ３１が形成してある。
【００１８】
＜４．１＞抱持バンドの素材
抱持バンド４０は可撓性を有する繊維、樹脂等からなり、その形態は図示したベルト状物に限定されずロープ状物又は紐状物であってもよい。
【００１９】
＜４．２＞抱持バンドの全長
抱持バンド４０は中央穴２１を介して土木工事用構造体Ａの全周を一周、又は複数周を巻装可能な全長を有する。
【００２０】
＜４．３＞抱持バンドの基端の固定位置
本例では、各抱持バンド４０の基端を方形袋２０の内側面２２に固着した形態について説明するが、各抱持バンド４０の基端の固定位置はこの形態に限定されない。
他の形態としては、各抱持バンド４０の基端を方形袋２０の底面２３と内側面２２の二面に跨って固定するか、又は方形袋２０の外側面２４、底面２３、及び内側面２２の三面に跨って固定することも可能である。
要は、各抱持バンド４０の基端が上蓋２５を除いた方形袋２０の一部に固定してあり、抱持バンド４０の先端（遊端）側が中央穴２１を通じて上向きに延出できる構成であればよい。
【００２１】
＜５＞中詰材
中詰材４０は圧縮変形しない硬質粒体であり、例えば、砕石や玉石等の骨材、軽量骨材、コンクリートガラ、焼却灰の造粒物、土砂等を使用できる。
中詰材４０の素材、比重、サイズ等は、土木工事用構造体Ａの使途に応じて適宜選択する。
【００２２】
［土木工事用構造体の製作方法］
つぎに土木工事用構造体Ａの製作方法の一例について説明する。
【００２３】
＜１＞中詰材の充填（図５）
方形袋２０の上口を開放した状態で収容空間２６の全域に満杯になるまで中詰材４０を充填する。
中詰材４０の充填作業の際に、作業の邪魔にならないように、抱持バンド３０や上蓋２５は除けておく。
又、図示しない製作枠を使用して方形袋２０の立体形状を保持すると、中詰材４０の充填作業を円滑に行える。
【００２４】
＜２＞上蓋の閉鎖（図５）
つぎに方形袋２０の上蓋２５を被せて収容空間２６を閉じる。
最終的に抱持バンド３０が閉じた上蓋２５をロックするため、上蓋２５を固定するための専用ロック手段は不要である。
【００２５】
＜３＞抱持バンドの巻装（図３，４）
つぎに方形袋２０の中央穴２１から上方へ延出した各抱持バンド３０を方形袋２０の外周面に縦向きに一周、又は複数周を巻き掛け、各抱持バンド３０の先端を中央穴２１から上方へ向けて引き出す。
この際、方形袋２０の外側面に設けた位置決め材２８に抱持バンド４０を挿通させて抱持バンド４０の横移動を規制する。
又、方形袋２０の底面２３を支持する製作枠の支持面に予めスペーサを設けておくか、又は製作枠の支持面に予め帯状の切欠を設けておくことで、底面２３と支持面との間に形成した帯状の挿通空間を利用して抱持バンド４０を容易に巻き付けることが可能である。
【００２６】
＜４＞抱持バンドの締付け（図６）
中央穴２１から上方に延出する各抱持バンド３０のループ３１をクレーン車のフックに係留して吊り上げて土木工事用構造体Ａの製作を完了する。
各抱持バンド３０のループ３１を吊り上げると、中詰材４０の自重により各抱持バンド３０が滑動しながら方形袋２０を介して内部の中詰材４０を面的に締め付けていく。
そのため、方形袋２０及び複数の抱持バンド３０を介して締め付けられた中詰材４０は、変形不能な角形硬質塊４０ａに変質する。
自重を利用して中詰材４０の締め付けできるので、専用の締付装置は不要である。
【００２７】
このようにして製作した土木工事用構造体Ａは、そのまま設置現場へ運搬するか、ストックヤードに仮置きし、海洋又は陸上における所望の土木工事に使用する。
【００２８】
＜５＞中詰材の拘束効果が高い理由
本発明は、従来の土木工事用構造体のような中詰材の外周のみを袋体で被覆する構造ではなく、又、袋体の底面をベルト部材で吊り上げて支持する構造でもない。
本発明では、角型リング状に封入した中詰材４０の内外全周を被覆して拘束する方形袋２０と、中央穴２１を通して方形袋２０に縦向きに巻き付けて締め付ける複数の抱持バンド３０との組み合せによって、中詰材４０の拘束効果を高めたものである。
すなわち、抱持バンド３０は方形袋２０の内側面２２、上蓋２５、外側面２４、及び底面２３の四面に跨って包囲し、これらの四面を均等な力で締め付けることが可能である。抱持バンド３０による締付力は方形袋２０を介して中詰材４０の全体へ伝えられる。
そのため、中詰材４０の表層だけでなくその中心部においても中詰材４０の粒子が互いに噛み合って（インターロッキング効果）角形硬質塊４０ａを形成するため、方形の全体形状を保持できるだけでなく、角形硬質塊４０ａの全長に亘って、曲げ強度、圧縮強度、及びせん断強度が非常に高くなる。
【００２９】
＜６＞抱持バンドを土木工事用構造体の中心部から引き出した理由
抱持袋２０の中心穴２１を通過させた抱持バンド３０の巻付け方向を逆にして、複数の抱持バンド３０の先端を抱持袋２０の外方（外側面２４）側から引き出して吊り上げることも可能である。
この状態で吊り上げると、大きな曲げモーメントがはたらき土木工事用構造体Ａが皿状に反り返ってしまう。
土木工事用構造体Ａの反り返りは、平らな設置場所に土木工事用構造体Ａを据え付けたときに抱持力が緩む原因となる。
これに対し、抱持袋２０の中心穴２１から複数の抱持バンド３０を引き出して吊り上げると、曲げモーメントが小さくなって土木工事用構造体Ａが皿状に反り返えることを効果的に抑制できる。
【００３０】
[土木工事用構造体の機能]
＜１＞方形袋の破損防止（図３）
既述した土木工事用構造体Ａは、従来と比べて方形袋２０による中詰材４０の抱持面積を大きく確保できるから、中詰材４０の自由な動きを確実、かつ効果的に拘束することができる。
したがって、中詰材４０の自由な動きに起因した方形袋２０の摩耗を防止して、方形袋２０の耐久性が格段に向上する。
【００３１】
例えば、単なる袋体に中詰材を満杯に詰め込み、袋体の上口を閉じることで中詰材の外周面を拘束可能であるが、袋詰めした中詰材と袋体との接触面積を大きく確保できない。そのために、中詰材の表層と中心部で拘束力にバラツキを生じる。
【００３２】
これに対して本発明では、中詰材４０と袋体の接触面積に着目し、中央穴２１を有する方形袋２０と、複数の抱持バンド３０を併用することで、中詰材４０の抱持面積（拘束面積）を大きく確保するようにした。
本発明の土木工事用構造体Ａと、巾着状の袋体に中詰材を詰め込んだ従来の土木工事用構造体とを比較した場合、両構造体の中詰材４０が同量であれば、本発明の土木工事用構造体Ａは従来と比べて中詰材４０との抱持面積が格段に大きくなる。
したがって、土木工事用構造体Ａでは、中詰材４０の表層と中心部で抱持力にバラツキを生じないだけでなく、土木工事用構造体Ａを海洋に設置した場合でも中詰材４０の自由な変位を確実に拘束できるから、方形袋２０の摩耗による破損を長期間に亘って防止することができる。
【００３３】
＜２＞土木工事用構造体の変形防止
既述したように土木工事用袋体１０による中詰材４０の抱持（拘束）作用は、方形袋２０に封入した中詰材４０の表層だけでなく、中心部にも伝わって、中詰材４０を面的に抱持（拘束）して角形硬質塊４０ａを形成する。
したがって、土木工事用構造体Ａはその断面形状が変形し難くなるだけでなく、土木工事用構造体Ａの全体形状も変形し難くなるため、例えば大きな波浪が作用する現場へ設置した場合でも、土木工事用構造体Ａが設置場所から移動し難くなる。
【００３４】
［他の実施例］
以降に他の実施例について説明するが、その説明に際し、前記した実施例と同一の部位は同一の符号を付してその詳しい説明を省略する。
【００３５】
＜１＞方形袋の一辺に複数の抱持バンドを巻装した実施例（図７）
先の実施例では、角型リング状を呈する方形袋２０の各辺にそれぞれ一つの抱持バンド４０を巻装した形態について説明したが、方形袋２０の各辺にそれぞれ複数の抱持バンド４０を横列させて巻装することも可能である。
図７では方形袋２０の各辺に間隔を隔てて２つの抱持バンド４０を巻装した形態を示すが、３つ以上であってもよい。
又、方形袋２０の平面形状が長方形を呈する場合は、各辺における抱持バンド４０の巻装数を変えてもよい。
尚、各抱持バンド４０の基端を内側面２２に固定することは先の実施例と同様である。
【００３６】
本例にあっては、中詰材４０の抱持範囲が横方向に拡張するので、土木工事用構造体Ａが大型化した場合に好適である。
複数本のを固着してもよい。
【００３７】
＜２＞抱持バンドの緩みを防止した実施例
方形袋２０及び複数の抱持バンド３０を介して締め付けられた角形硬質塊４０ａは、抱持バンド３０が多少緩んでもその形状保持性能は急激に落ちることはないが、土木工事用構造体Ａの形状保持効果を持続するため、中詰材４０の締め付けを終えた抱持バンド３０を固定して抱持バンド３０の締付力を保持するようにしてもよい。
抱持バンド３０の固定手段としては、例えば、中詰材４０に図外の固定ピンを打ち込んで抱持バンド３０を固定したり、抱持バンド３０の重合部を公知のベルト固定具で摺動不能に把持したりして抱持バンド３０の緩みを防止することができる。
【００３８】
本例にあっては、製作済の土木工事用構造体Ａを運搬移動する場合や、波力や振動等の外力が繰り返し作用する現場へ設置した場合に、抱持バンド３０の緩みを確実に防止することができる。
【符号の説明】
【００３９】
Ａ・・・・・・土木工事用構造体
１０・・・・・土木工事用袋体
２０・・・・・方形袋
２１・・・・・方形袋の中央穴
２２・・・・・方形袋の内側面
２３・・・・・方形袋の底面
２４・・・・・方形袋の外側面
２５・・・・・方形袋の上蓋
２６・・・・・方形袋の収容空間
２８・・・・・抱持バンドの位置決め材
３０・・・・・抱持バンド
４０・・・・・中詰材
４０ａ・・・・角形硬質塊
【図１】
0006502130.tif 000002
【図２】
0006502130.tif 000003
【図３】
0006502130.tif 000004
【図４】
0006502130.tif 000005
【図５】
0006502130.tif 000006
【図６】
0006502130.tif 000007
【図７】
0006502130.tif 000008
【図８】
0006502130.tif 000009